(57)【要約】【課題】            パネルやハウジングに穿設された孔に挿通される電線を摩耗や破損から保護することができ、かつ取付板に対する着脱を一方向から簡単な操作で行うことができる電線保護ブッシュを提供すること。【解決手段】        フランジを有する合成樹脂筒体の外周面に取付パネルに設けられた取付孔に取り付けるための弾性係止片を備え、該弾性係止片は取付孔の縁部に係止する逆止爪を有し、逆止爪に対向するフランジ部には切り欠き孔を設け、該弾性係止片の先端から切り欠き孔を通してフランジ表面側に突出する解除レバーを形成してなる。【選択図】          図１
2006260932.tif 000002
【特許請求の範囲】
【請求項１】
フランジを有する合成樹脂筒体の外周面に取付パネルに設けられた取付孔に取り付けるための弾性係止片を備え、該弾性係止片は取付孔の縁部に係止する逆止爪を有し、逆止爪に対向するフランジ部分には切り欠き孔を設け、該弾性係止片の先端から切り欠き孔を通してフランジ表面側に突出する解除レバーを形成したことを特徴とした電線保護ブッシュ。
【請求項２】
前記弾性係止片の逆止爪を一部切り落として、その切り落とした範囲内に前記解除レバーを形成したことを特徴とした請求項１に記載の電線保護ブッシュ。
【請求項３】
前記解除レバーは、フランジの表面から操作部を外側に向けて延出するよう形成するとともに、この操作部は先端部をフランジに向けてテ−パー（傾斜）状あるいは円弧状の先細り形状に形成したことを特徴とした、請求項１または２のいずれかに記載の電線保護ブッシュ。
【発明の詳細な説明】
【技術分野】
【０００１】
本発明は、各種電子・電気機器の配線時において、パネルやハウジングに穿設された孔に挿通される電線を摩耗や破損から保護するために使用される電線保護ブッシュに関する。
【背景技術】
【０００２】
電線を電子・電気機器の板金やプリント基板等の板材に穿設された孔に挿通する場合に、孔のエッジ部がそのまま露出されていると、電線がエッジ部に接触して摩耗や破損を生じることがある。このため、従来から、特許文献１や特許文献２に開示されたようなブッシュが使用されている。
【０００３】
図１２は特許文献１に記載された考案の取付状態を示す横断面図、図１３は同考案の平面図である。図１２、図１３に示したように特許文献１に開示されたブッシュ３１は、フランジ３３を有する合成樹脂製円筒体３２の外周面に取付パネル３４に設けられた円形の取付孔３５に取り付けるための係合片３６，３６を有し、円形の取付孔３５に挿入すると、係合片３６に設けた逆止片３７が取付孔３５の縁部（取り付けパネル裏面）に係合して、フランジ３３と逆止片３７とで取付パネル３４挟んで固定されるもので、パネルやハウジングに穿設された孔に挿通される電線を摩耗や破損から保護することができるものであった。
【０００４】
また、特許文献２に記載された電線保護ブッシュは、上記特許文献１の円筒体４３に相当する円筒体に周壁の一部を切り離して設けた割部を備えていて、その割部から電線を挿入できるようにした以外は、特許文献１とほぼ同様の構成を備えている。
【０００５】
【特許文献１】実公昭４２−６１２９
【特許文献２】特公昭４９−１９９１９
【発明の開示】
【発明が解決しようとする課題】
【０００６】
しかしながら、昨今、機材類等のリサイクルが提唱され、部材の取り外しやすさが課題となっている。前記のような特許文献１や特許文献２に記載された従来型の電線保護ブッシュは、挿入セット時には一方向からの挿入作業で取付が完了するが、取り外しの際には取付板の裏面から作業（取付孔縁部に係合した係合片を内側に弾性変形させる）を行う必要があるため、取り外しが困難であるという課題があった。
【０００７】
本発明は、このような従来技術の問題点を解決することを課題とするものであり、パネルやハウジングに穿設された孔に挿通される電線を摩耗や破損から保護することができ、かつ取付板に対する着脱を一方向から簡単な操作で行うことができる電線保護ブッシュを提供することを目的とする。
【課題を解決するための手段】
【０００８】
本発明は、この目的を達成するため次のような構成を採用している。
【０００９】
つまり、フランジを有する合成樹脂筒体の外周面に取付パネルに設けられた取付孔に取り付けるための弾性係止片を備え、該弾性係止片は取付孔の縁部に係止する逆止爪を有し、逆止爪に対向するフランジ部分には切り欠き孔を設け、該弾性係止片の先端から切り欠き孔を通してフランジ表面側に突出する解除レバーを形成したものである。
【００１０】
この構成によれば、フランジ表面側から解除レバーを内方に向けて押圧することにより、弾性係止片の逆止片と取付孔縁部との係合を解除することができる。
【００１１】
前記弾性係止片の逆止爪を一部切り落として、その切り落とした範囲内に前記解除レバーを形成することができる。
【００１２】
その成形加工は同一方向に相対的に移動する一対の金型間に形成されるキャビテイから一体的に成形することができる。
【００１３】
前記解除レバーは、フランジの表面から操作部を外側に向けて延出するよう形成するとともに、この操作部は先端部をフランジに向けてテ−パー（傾斜）状あるいは円弧状の先細り形状に形成してあることが望ましい。
【００１４】
解除レバーの取付パネルの表面側に突出した操作部をフランジに向けてテーパー状あるいは円弧状の先細り形状に形成していることにより、誤って解除レバーの操作部に何かが当たっても傾斜や円弧に沿って逃げるので電線保護ブッシュが取付孔から外れる危険性を少なくすることができる。
【発明の効果】
【００１５】
本発明は、上記のような構成であり、フランジ表面側から解除レバーを内方に向けて押圧することにより、弾性係止片の逆止片と取付孔縁部との係合を解除することができるので、パネルやハウジングに穿設された孔に挿通される電線を摩耗や破損から保護することができ、かつ取付板に対する着脱を一方向から簡単な操作で行うことができる電線保護ブッシュを提供することができる。
【発明を実施するための最良の形態】
【００１６】
次に、本発明に係る電線保護ブッシュの実施の形態（以下、実施例という）を図面に基づいて説明する。
【実施例１】
【００１７】
図１は本発明実施例の電線保護ブッシュ１の使用状態を示す取り付け前の斜視図であり、図２は正面図であり、図３は図２の平面図であり、図４は図２の側面図であり、図５は図２の背面図であり、図６は図３のＡ−Ａ断面図であり、図７は使用状態を示す取り付け後の斜視図であり、図８は使用状態を示す取り付け後の平面図であり、図９は図８のＢ−Ｂ断面図であり、図１０〜図１１はロック解除操作を説明する断面図である。
【００１８】
図１から図６に示したように、本発明実施例に係わる電線保護ブッシュ１は、一側端にフランジを３有する角筒体２の他側端側の外周面に取付パネル４に設けられた角状の取付穴５に取り付けるための弾性係合片６，６を図３の平面図上で左右に設けている。弾性係合片６の先端付近に取付孔５の縁部に係止する逆止爪７が設けられていて、この逆止爪７は前記フランジ３と間隙を存して形成されている。これら逆止爪７と対向するフランジ３部分には切り欠き孔８を形成するとともに、該弾性係止片６の先端から切り欠き孔８を通してフランジ３の表面側に突出する解除レバー１０を設けて構成している。解除レバー１０は筒体２の内側に向けて押すことにより、弾性係止片６の逆止片７と取付孔５の縁部との係合を解除することができるように形成する。
【００１９】
なお、図１、図４、図５に示したように前記弾性係止片６の逆止爪７を一部切り落として、その切り落とした範囲内に前記解除レバー１０を形成することが望ましい。逆止爪７がない範囲内に解除レバー１０を設けることにより、その成形加工は同一方向に相対的に移動する一対の金型間に形成されるキャビテイから一体的に成形することができる。すなわち、射出成形の金型を複雑にすることなく容易に製作することができる。
【００２０】
逆止爪７は先端外側面が略テーパ状に形成され、詳しくは階段状に複数の係合段が形成されて、取付パネル４の板厚に応じて複数の係合段のいずれかが取付パネル４の取付孔５縁部に係合するように形成されている。つまり、取付パネル４の板厚の相違を吸収することができる。
【００２１】
前記角状の取付穴５には、弾性係合片６，６の位置に合わせて凹部１１，１１を設けていて、凹部１１、１１に弾性係合片６，６が装着されるように形成している。
【００２２】
前記解除レバー１０は、操作部を外側に向けて延出している。この操作部は先端部をフランジ３に向けてテ−パー（傾斜）状あるいは円弧状（図２参照）の先細り形状に形成していることが望ましい。解除レバー１０の取付パネル４の表面側に突出した操作部をフランジ３に向けてテーパー状あるいは円弧状の先細り形状に形成していることにより、誤って解除レバー１０の操作部に何かが当たっても傾斜や円弧に沿って逃げるので、電線保護ブッシュ１が取付孔５から外れる危険性を少なくすることができる。
【００２３】
本発明実施例の電線保護ブッシュ１は、適度の弾性と硬性を有する材料（例えばポリアミド等の合成樹脂）で成形される。
【００２４】
次に本発明実施例の電線保護ブッシュ１の使用方法について説明する。図１に示す取り付け前の状態から、電線保護ブッシュ１を取付パネル４の角穴５に押し込むと、弾性係合片６，６は角穴５に設けられた凹部１１，１１を板厚方向に挿通されながら、内側に弾性変形され、やがて弾性復元して逆止爪７の係合段のいずれかが凹部１１，１１の縁部に係合して図７、図８、図９に示すように取り付けが完了する。図７，図８，図９に示した取り付け状態の電線保護ブッシュ１を取り付けパネル４から取り外す必要が生じた場合には、図１０に示したように解除レバー１０を筒体２の内側（矢印方向）に向けて押すことにより、弾性係止片６の逆止片７と取付孔５の凹部１１の縁部との係合が解除されるので、そのまま取付パネル４の表面側（図１１の矢印方向）に持ち上げて、図１１に示すように電線保護ブッシュ１を取付パネル４から取り外すことができる。
【００２５】
本発明は上記実施例に限定されるわけではなく、例えば筒体は、角筒体にしているが、円筒体であっても良い。また、弾性係合片６，６は一対形成しているが、その数は筒体の大きさ、形状を考慮して適宜増やせば良い。
【図面の簡単な説明】
【００２６】
【図１】本発明実施例の使用状態を示す取り付け前の斜視図である。
【図２】本発明実施例を示す正面図である。
【図３】図２の平面図である。
【図４】図２の側面図である。
【図５】図２の背面図である。
【図６】図３のＡ−Ａ断面図である。
【図７】本発明実施例の使用状態を示す取り付け後の斜視図である。
【図８】本発明実施例の使用状態を示す取り付け後の平面図である。
【図９】図８のＢ−Ｂ断面図である。
【図１０】本発明実施例のロック解除操作を説明する断面図である。
【図１１】本発明実施例のロック解除操作を説明する断面図である。
【図１２】従来技術の使用状態を示す横断面図である。
【図１３】従来技術を示す平面図である。
【符号の説明】
【００２７】
１    電線保護ブッシュ
２    筒体
３    フランジ
４    取付パネル
５    取付孔
６    弾性係止片
７    逆止爪
８    切り欠き孔
１０  解除レバー
１２  操作部
【図１】
2006260932.tif 000003
【図２】
2006260932.tif 000004
【図３】
2006260932.tif 000005
【図４】
2006260932.tif 000006
【図５】
2006260932.tif 000007
【図６】
2006260932.tif 000008
【図７】
2006260932.tif 000009
【図８】
2006260932.tif 000010
【図９】
2006260932.tif 000011
【図１０】
2006260932.tif 000012
【図１１】
2006260932.tif 000013
【図１２】
2006260932.tif 000014
【図１３】
2006260932.tif 000015